(57)【要約】【課題】動画に含まれる各シーンを代表する内容を持つ画像を、順次、静止画として表示する「車載ビデオ表示装置及び車載ビデオ再生装置」を提供する。【解決手段】自動車の走行中、走行中表示制御部１７は、チャプタ切り替え、ビデオ画調変化、字幕切り替え、無音区間後の有音区間の発生、大音量への急激な音量変化、感情表現単語の音声認識、台詞発声のいずれかが発生した場合のみ、表示制御装置１３を制御して表示装置１４に表示する画像を、その時点でプレゼンテーションエンジン１２で再生された画像フレームの画像に更新する。ただし、前回の表示の更新から所定の期間が経過するまでは表示する画像の更新は行わず、前回の表示の更新から所定の期間が経過した場合には、無条件に表示する画像の更新を行う。【選択図】図１
2007096393.tif 000002
【特許請求の範囲】
【請求項１】
音声と動画を含むビデオを表示装置に表示する、自動車に搭載される車載ビデオ表示装置であって、
前記自動車の走行中の有無を検出する走行有無検出手段と、
前記走行有無検出手段が、自動車の走行中を検出した場合に、表示対象となっているビデオに含まれる動画を構成する画像フレームのうちの一部の画像フレームの画像が順次静止画として表示されるように前記表示装置の表示を制御する走行中表示制御手段とを有し、
前記走行中表示制御手段は、表示対象となっているビデオに含まれる音声もしくは動画の性質の所定の変化を検出し、当該所定の変化を検出した場合に、前記静止画として表示する画像を、表示対象となっているビデオに含まれる前記動画中において当該所定の変化が検出された時点の画像を表す画像フレームの画像に更新することを特徴とする車載ビデオ表示装置。
【請求項２】
記憶媒体に記録された、音声と動画を含むビデオを再生する、自動車に搭載される車載ビデオ再生装置であって、
前記自動車の走行中の有無を検出する走行有無検出手段と、
前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを有し、
前記走行中表示制御手段は、再生対象となっているビデオに含まれる音声もしくは動画の性質の所定の変化を検出し、当該所定の変化を検出した場合に、前記静止画として表示する画像を、再生対象となっているビデオに含まれる前記動画中において当該所定の変化が検出された時点の画像を表す画像フレームの画像に更新することを特徴とする車載ビデオ再生装置。
【請求項３】
請求項２記載の車載ビデオ再生装置であって、
前記走行中表示制御手段は、再生対象となっているビデオに含まれる動画の画像としての調子の所定レベル以上の変化を、前記所定の変化として検出することを特徴とする車載ビデオ再生装置。
【請求項４】
請求項２または３記載の車載ビデオ再生装置であって、
前記走行中表示制御手段は、再生対象となっているビデオに含まれる音声の音量レベルの所定の条件を満たす変化を、前記所定の変化として検出することを特徴とする車載ビデオ再生装置。
【請求項５】
請求項２、３または４記載の車載ビデオ再生装置であって、
前記走行中表示制御手段は、再生対象となっているビデオに含まれる音声の台詞を表す音声への変化を、前記所定の変化として検出することを特徴とする車載ビデオ再生装置。
【請求項６】
請求項２、３、４または５記載の車載ビデオ再生装置であって、
前記走行中表示制御手段は、再生対象となっているビデオに含まれる音声の感情表現を示す音声への変化を、前記所定の変化として検出することを特徴とする車載ビデオ再生装置。
【請求項７】
記憶媒体に記録された、音声と動画と当該動画と共に表示される字幕を含むビデオを再生する、自動車に搭載される車載ビデオ再生装置であって、
前記自動車の走行中の有無を検出する走行有無検出手段と、
前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを有し、
前記走行中表示制御手段は、再生対象となっているビデオに含まれる字幕の変化を検出し、当該変化を検出した場合に、前記静止画として表示する画像を、再生対象となっているビデオに含まれる前記動画中において当該変化を検出した時点の画像を表す画像フレームの画像に更新することを特徴とする車載ビデオ再生装置。
【請求項８】
記憶媒体に記録された、音声と動画とを含む複数のチャプタより構成されるビデオを再生する、自動車に搭載される車載ビデオ再生装置であって、
前記自動車の走行中の有無を検出する走行有無検出手段と、
前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを有し、
前記走行中表示制御手段は、再生対象となっているチャプタの変化を検出し、当該変化を検出した場合に、前記静止画として表示する画像を、再生対象となっているビデオに含まれる前記動画中において当該変化を検出した時点の画像を表す画像フレームの画像に更新することを特徴とする車載ビデオ再生装置。
【請求項９】
請求項２、３、４、５、６、７または８記載の車載ビデオ再生装置であって、
前記走行中表示制御手段は、前記変化を検出した時点の画像を表す画像フレームの画像が全面が単色の画像である場合には、前記静止画として表示する画像を、再生対象となっているビデオに含まれる前記動画中において当該変化を検出した時点の画像を表す画像フレームの画像に更新せずに、再生対象となっているビデオに含まれる前記動画中において当該変化を検出した時点より所定期間経過した時点の画像を表す画像フレームの画像に更新することを特徴とする車載ビデオ再生装置。
【請求項１０】
請求項２、３、４、５、６、７、８または９記載の車載ビデオ再生装置であって、
前記走行中表示制御手段は、前記静止画として表示する画像を更新した後、所定の時間が経過するまで、前記静止画として表示する画像の更新を行わないことを特徴とする車載ビデオ再生装置。
【請求項１１】
請求項２、３、４、５、６、７、８、９または１０記載の車載ビデオ再生装置であって、
前記走行中表示制御手段は、前記静止画として表示する画像を更新した後、一定の期間が経過するまで、前記静止画として表示する画像の更新が行われなかった場合には、前記静止画として表示する画像を、再生対象となっているビデオに含まれる前記動画中において前記一定の期間が経過した時点の画像を表す画像フレームの画像に更新することを特徴とする車載ビデオ再生装置。
【発明の詳細な説明】
【技術分野】
【０００１】
本発明は、自動車に搭載されたDVDビデオ再生装置などのビデオ表示を行う車載ビデオ表示装置において、自動車の走行中の表示を制御する技術に関するものである。
【背景技術】
【０００２】
車載ビデオ表示装置において自動車の走行中の表示を制御する技術としては、自動車に搭載されたビデオ再生装置やＴＶ受信装置において、自動車の走行中の有無を検出し、自動車が走行中である場合には音声の出力のみを行い動画の表示を停止する技術が知られている。
【０００３】
また、車載ビデオ表示装置において自動車の走行中のビデオ表示を制御する技術としては、自動車に搭載されたビデオ再生装置において、自動車の走行中の有無を検出し、自動車が走行中である場合には、音声の出力を継続しつつ、動画については、表示する画像フレームの更新を画像フレーム周期毎に行わずに、画像フレーム周期よりも充分に長い所定の期間毎に行うことにより、順次、動画に含まれる一部の画像フレームの画像を静止画として表示する技術も知られている（たとえば、特許文献１）。
【特許文献１】特開平10-151995号公報
【発明の開示】
【発明が解決しようとする課題】
【０００４】
前述した自動車の走行中の有無を検出し、自動車が走行中である場合には、表示する画像フレームの更新を画像フレーム周期毎に行わず、画像フレーム周期よりも充分に長い所定の期間毎に行う技術によれば、静止画として表示される画像フレームは、動画中より一定周期で抽出されるものとなる。したがって、表示される画像フレームの画像が表す内容は、必ずしも、動画に含まれる各シーンを代表する内容とはならない。
【０００５】
このため、ユーザは、順次表示される静止画を、動画のインデックス的に利用して動画を楽しむことができない。
そこで、本発明は、車載ビデオ表示装置において、車両の走行中に、動画に含まれる各シーンを代表する内容を持つ画像を、順次、静止画として表示することを課題とする。
【課題を解決するための手段】
【０００６】
前記課題達成のために、本発明は、音声と動画を含むビデオを表示装置に表示する、自動車に搭載される車載ビデオ表示装置に、前記自動車の走行中の有無を検出する走行有無検出手段と、前記走行有無検出手段が、自動車の走行中を検出した場合に、表示対象となっているビデオに含まれる動画を構成する画像フレームのうちの一部の画像フレームの画像が順次静止画として表示されるように前記表示装置の表示を制御する走行中表示制御手段とを備え、前記走行中表示制御手段において、表示対象となっているビデオに含まれる音声もしくは動画の性質の所定の変化を検出し、当該所定の変化を検出した場合に、前記静止画として表示する画像を、表示対象となっているビデオに含まれる前記動画中において当該所定の変化が検出された時点の画像を表す画像フレームの画像に更新するようにしたものである。
【０００７】
このような車載ビデオ表示装置では、ビデオに含まれる動画を構成する画像フレームの内の、表示対象となっているビデオに含まれる音声もしくは動画の性質の所定の変化が生じた時点の画像を表す画像フレームが順次抽出されて、静止画として表示装置に表示されることになる。ここで、動画中の各シーンを代表する画像を表す画像フレームは、ある種の音声や動画の性質の変化を伴って出現する性向が大きい。したがって、このような変化を検出できるように、走行中表示制御手段において検出する所定の変化を適当に設定することにより、車両の走行中に、動画に含まれる各シーンを代表する内容を持つ画像を、順次、静止画として表示することができるようになる。
【０００８】
なお、このような車載ビデオ表示装置は、ＴＶ受信装置やその他のビデオの表示を行う任意の装置であってよい。
また、前記課題達成のために、本発明は、記憶媒体に記録された、音声と動画を含むビデオを再生する、自動車に搭載される車載ビデオ再生装置に、前記自動車の走行中の有無を検出する走行有無検出手段と、前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを備え、前記走行中表示制御手段において、再生対象となっているビデオに含まれる音声もしくは動画の性質の所定の変化を検出し、当該所定の変化を検出した場合に、前記静止画として表示する画像を、再生対象となっているビデオに含まれる前記動画中において当該所定の変化が検出された時点の画像を表す画像フレームの画像に更新するようにしたものである。
【０００９】
このような車載ビデオ再生装置では、ビデオに含まれる動画を構成する画像フレームの内の、表示対象となっているビデオに含まれる音声もしくは動画の性質の所定の変化が生じた時点の画像を表す画像フレームが順次抽出されて、静止画として表示装置に表示されることになる。ここで、動画中の各シーンを代表する画像を表す画像フレームは、ある種の音声や動画の性質の変化を伴って出現する性向が大きい。したがって、このような変化を検出できるように、走行中表示制御手段において検出する所定の変化を適当に設定することにより、車両の走行中に、動画に含まれる各シーンを代表する内容を持つ画像を、順次、静止画として表示することができるようになる。
【００１０】
より具体的には、このような車載ビデオ再生装置は、前記走行中表示制御手段において、再生対象となっているビデオに含まれる動画の画像としての調子の所定レベル以上の変化を、前記所定の変化として検出するようにしてもよいし、前記走行中表示制御手段において、再生対象となっているビデオに含まれる音声の音量レベルの所定の条件を満たす変化を、前記所定の変化として検出するようにしてもよいし、前記走行中表示制御手段において、再生対象となっているビデオに含まれる音声の台詞を表す音声への変化を、前記所定の変化として検出するようにしてもよいし、前記走行中表示制御手段において、再生対象となっているビデオに含まれる音声の感情表現を示す音声への変化を、前記所定の変化として検出するようにしてもよい。
【００１１】
また、本発明は、前記課題達成のために、記憶媒体に記録された、音声と動画と当該動画と共に表示される字幕を含むビデオを再生する、自動車に搭載される車載ビデオ再生装置に、前記自動車の走行中の有無を検出する走行有無検出手段と、前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを備え、前記走行中表示制御手段は、再生対象となっているビデオに含まれる字幕の変化を検出し、当該変化を検出した場合に、前記静止画として表示する画像を、再生対象となっているビデオに含まれる前記動画中において当該変化を検出した時点の画像を表す画像フレームの画像に更新するようにしたものである。
【００１２】
このような車載ビデオ再生装置ではビデオに含まれる動画を構成する画像フレームの内の、字幕が変化した時点の画像を表す画像フレームが順次抽出されて、静止画として表示装置に表示されることになる。ここで、字幕が変化した時点の画像フレームの画像は、動画に含まれる各シーンを代表する内容を持つ蓋然性が大きい。したがって、このような車載ビデオ再生装置によれば、車両の走行中に、動画に含まれる各シーンを代表する内容を持つ画像を、順次、静止画として表示することができるようになる。
【００１３】
また、前記課題達成のために、本発明は、記憶媒体に記録された、音声と動画とを含む複数のチャプタより構成されるビデオを再生する、自動車に搭載される車載ビデオ再生装置に、前記自動車の走行中の有無を検出する走行有無検出手段と、前記走行有無検出手段が、自動車の走行中を検出した場合に、再生対象となっているビデオに含まれる動画を構成する画像フレームのうちの一部の画像フレームの画像が順次静止画として表示されるように前記表示装置の表示を制御する走行中表示制御手段とを備え、前記走行中表示制御手段において、再生対象となっているチャプタの変化を検出し、当該変化を検出した場合に、前記静止画として表示する画像を、再生対象となっているビデオに含まれる前記動画中において当該変化を検出した時点の画像を表す画像フレームの画像に更新するようにしたものである。
【００１４】
このような車載ビデオ再生装置では、ビデオに含まれる動画を構成する画像フレームの内の、チャプタ先頭の画像フレームの画像が順次抽出されて、静止画として表示装置に表示されることになる。ここで、チャプタ先頭の画像フレームの画像は、そのチャプタを代表する内容を持つ蓋然性が大きい。したがって、このような車載ビデオ再生装置によれば、車両の走行中に、動画に含まれる各チャプタを代表する内容を持つ画像を、順次、静止画として表示することができるようになる。
【００１５】
ここで、以上の車載ビデオ再生装置は、前記走行中表示制御手段を、前記変化を検出した時点の画像を表す画像フレームの画像が全面が単色の画像である場合には、前記静止画として表示する画像を、再生対象となっているビデオに含まれる前記動画中において当該変化を検出した時点の画像を表す画像フレームの画像に更新せずに、再生対象となっているビデオに含まれる前記動画中において当該変化を検出した時点より所定期間経過した時点の画像を表す画像フレームの画像に更新するように構成してもよい。
【００１６】
このようにすることにより、全面が単色の画像が静止画として表示する画像として抽出されてしまうことを抑止しつつ、その直後のシーンを代表する蓋然性の大きい画像を静止画として表示することができるようになる。
また、以上の車載ビデオ再生装置は、前記走行中表示制御手段を、前記静止画として表示する画像を更新した後、所定の時間が経過するまで、前記静止画として表示する画像の更新を行わないように構成したり、前記静止画として表示する画像を更新した後、一定の期間が経過するまで、前記静止画として表示する画像の更新が行われなかった場合には、前記静止画として表示する画像を、再生対象となっているビデオに含まれる前記動画中において現時点の画像を表す画像フレームの画像に更新するように構成することが好ましい。
【００１７】
これらのようにすることにより、静止画の表示が目まぐるしく切り替わって車両の運転者の表示装置への表示への意識を過剰に喚起したり、長時間に渡って静止画の表示が切り替わらなくって、静止画表示の娯楽性が失われることを抑止することができる。
【発明の効果】
【００１８】
以上のように、本発明によれば、車載ビデオ表示装置において、車両の走行中に、動画に含まれる各シーンを代表する内容を持つ画像を、順次、静止画として表示することができる。
【発明を実施するための最良の形態】
【００１９】
以下、本発明の実施形態について、自動車に搭載されるDVDビデオ再生装置への適用を例にとり説明する。
図１に、本実施形態に係るDVDビデオ再生装置の構成を示す。
図示するように、DVDビデオ再生装置は、DVD-Videoディスク１にリードアクセスするDVDドライバ１０、ナビゲーションマネージャ１１、ビデオ再生出力を行うプレゼンテーションエンジン１２、表示制御装置１３、表示装置１４、音声を出力するスピーカ等の音声出力装置１５、入力装置１６、走行中表示制御部１７、音声認識辞書１８、走行有無検出センサ１９を有する。
【００２０】
さて、DVD-Videoディスク１には、１または複数のチャプタより構成されるビデオタイトルが１または複数記録される。このビデオタイトルを構成するデータは、大別して音声データや動画データやサブピクチャデータやハイライト情報などのプレゼンテーションの実体を格納したプレゼンテーションデータと、プレゼンテーションの実行を制御するためのナビゲーションデータとよりなる。
【００２１】
そして、プレゼンテーションエンジン１２において、デマルチプレクサ機能部（DEMUX)１２１は、DVD-Videoディスク１から、ナビゲーションマネージャ１１の制御下でDVDドライバ１０によって読み出されたプレゼンテーションデータから音声データ、動画データ、サブピクチャデータ、ボタンのハイライト情報ＨＬＩなどを抽出する。オーディオデコーダ１２２は、抽出された音声データのうちのナビゲーションマネージャ１１から指定された出力言語音声ストリームの音声データをデコードし、デコードした音声を音声出力装置１５に出力し、ビデオデコーダ１２３は抽出された動画データを動画にデコードし、サブピクチャデコーダ１２４は抽出されたサブピクチャデータを静止画であるサブピクチャにデコードし、PCI-HLIデコーダ１２５は抽出されたハイライト情報などをデコードする。合成制御部１２６は、サブピクチャとハイライト情報ＨＬＩとより定義されるボタンを含めた画像を生成し、デコードされた動画と合成して再生画像として、表示制御装置１３を介して表示装置１４に出力する。また、プレゼンテーションエンジン１２において、サブオーディオデコーダ１２７は、ナビゲーションマネージャ１１から指定された非出力言語音声ストリームの音声データをデコードして、デコードした音声を走行中表示制御部１７に送る。なお、このような構成において、オーディオデコーダ１２２がデコードした音声や、ビデオデコーダ１２３がデコードした動画も、走行中表示制御部１７に送られる。また、サブピクチャデコーダ１２４は、新たなサブピクチャ（静止画）をデコードしたならば、その旨を、走行中表示制御部１７に通知する。
【００２２】
次に、表示制御装置１３は、ナビゲーションマネージャ１１や走行中表示制御部１７の制御に従って、合成制御部１２６の出力する再生画像の表示装置１４への表示を制御する。
また、走行有無検出センサ１９は、自動車の車速や、パーキングブレーキの操作状態を監視し、自動車が駐停車中であるか走行中であるかを検出する。
そして、ナビゲーションマネージャ１１は、DVDドライバ１０を介して読み込んだナビゲーションデータと、入力装置１６より受け取ったユーザ操作とに応じて、プレゼンテーションの再生シーケンスを決定し、決定した再生シーケンスに従ったプレゼンテーションエンジン１２の再生出力動作を制御する。また、ナビゲーションマネージャ１１は、オーディオデコーダ１２２に、ユーザによって選択された言語の音声ストリームを出力言語音声ストリームとして指定し、当該言語の音声ストリームの音声がオーディオデコーダ１２２によってデコード、出力されるようにすると共に、サブオーディオデコーダに、ユーザによって選択された言語以外のDVD-Videoディスク１に音声ストリームが記録されている言語のうちから選択した一つの言語（原語となる言語が含まれている場合には当該言語を選択する）の音声ストリームを非出力言語音声ストリームとして指定し、当該言語の音声ストリームの音声がサブオーディオデコーダによってデコード、出力されるようにする
また、ナビゲーションマネージャ１１は、走行有無検出センサ１９の検出内容が自動車の駐停車中から走行中に変化したならば、走行中表示制御部１７に、走行中表示制御処理を実行させると共に、表示制御装置１３に、走行中表示制御部１７の制御に従って表示装置１４の表示を行うよう設定する。また、走行有無検出センサ１９の検出内容が自動車の走行中から駐停車中に変化したならば、走行中表示制御部１７に、走行中表示制御処理を終了させると共に、表示制御装置１３に、合成制御部１２６から出力される動画をそのまま表示装置１４に表示するよう設定する
また、ナビゲーションマネージャ１１は、現在、DVDビデオ再生装置がビデオタイトルの再生中であるか否か、すなわち、現在、プレゼンテーションエンジン１２にDVD-Videoディスク１に記録されているビデオタイトルの再生を行わせているか否かを走行中表示制御部１７に通知する。また、ナビゲーションマネージャ１１は、プレゼンテーションエンジン１２の再生させる再生箇所が、ビデオタイトルを構成するチャプタの先頭となったならば、チャプタ切り替え通知を走行中制御処理部１７に発行する。なお、ビデオタイトルを構成するチャプタの先頭は、DVD-Videoディスク１にナビゲーションデータの一部として記録されているPTT-SRPによって規定されている。
【００２３】
ここで、以上のDVDビデオ再生装置は、DVDドライバ１０や表示装置１４や音声出力装置１５や入力装置１６を周辺装置として備えた汎用コンピュータであってもよい。そして、この場合、以上のナビゲーションマネージャ１１やプレゼンテーションエンジン１２の各部またはその一部は、コンピュータがプログラムを実行することによりコンピュータ上にプロセスとして実現されるものであって良い。
【００２４】
以下、このような構成において、前述のようにナビゲーションマネージャ１１の制御に従って起動され、自動車の走行中に走行中表示制御部１７が行う走行中表示制御部処理について説明する。
図２に、この走行中表示制御部処理の手順を示す。
図示するように、この走行中表示制御処理では、まず、ナビゲーションマネージャ１１からの前述した通知に基づき、DVDビデオ再生装置がビデオタイトルの再生中となるのを待つ（ステップ２０２）。
そして、ビデオタイトルの再生中となったならば、表示制御装置１３に、表示装置１４に表示する画像フレームを、現時点で合成制御部１２６から入力している再生画像の画像フレームの画像に更新させる（ステップ２０４）。ここで、表示制御装置１３は、表示装置１４に表示する画像フレームを更新したならば、その画像フレームの表示装置１４への表示を、次に、表示装置１４に表示する画像フレームの更新を走行中表示制御部１７から指示されるまで維持する。したがって、ここでは、表示制御装置１３に、現時点で合成制御部１２６から入力している再生画像の画像フレームの画像を表示装置１４に静止画表示させることになる。
【００２５】
次に、所定時間（たとえば、３秒）経過するのを待って（ステップ２０６）、所定のタイムアウト時間（たとえば、１０秒）を持つ第１タイマを設定する（ステップ２０８）。
そして、第１タイマを設定したならば、チャプタ切り替え通知の発生（ステップ２１０）と、ビデオ画調変化の発生（ステップ２１２）と、字幕切り替えの発生（ステップ２１４）と、無音区間後の有音区間の発生（ステップ２１６）と、大音量への急激な音量変化の発生（ステップ２１８）と、感情表現単語認識の発生（ステップ２２０）と、台詞発声の発生（ステップ２２２）と、第１タイマのタイムアウトの発生（ステップ２２４）とを監視する。
【００２６】
そして、チャプタ切り替え通知が発生した場合（ステップ２１０）と、ビデオ画調変化が発生（ステップ２１２）した場合にはステップ２２６に進む。ここで、チャプタ切り替え通知は、前述のようにナビゲーションマネージャ１１から発行される。また、ビデオ画調の変化は、ビデオデコーダ１２３から入力する動画を構成する画像フレームの画像の調子が、直前の画像フレームの画像の調子と比べ大きく変化した場合に、ビデオ画調の変化が発生したとすることにより判定する。すなわち、たとえば、ビデオデコーダ１２３から入力する動画を構成する画像フレームの画像の平均的な輝度や色や、当該画像フレームの画像の輝度分布や色の分布が、直前の画像フレームの画像の平均的な輝度や色や、当該直前の画像フレームの画像の輝度分布や色分布と、所定のレベル以上異なるものである場合に、ビデオ画調が変化したと判定する。
【００２７】
さて、ステップ２２６に進んだならば、ビデオデコーダ１２３から入力する動画を構成する画像フレームの画像がフェードインやフェードアウトやブラックアウトやホワイトアウトなどのために全面が一色で塗りつぶされた画像であるかどうかを、画像フレームの画像の各画素の色偏差などに基づいて判定する。そして、全面が一色で塗りつぶされた画像でなければ、ステップ２０２に戻り、ビデオタイトル再生中であるかどうかを確認し、ビデオタイトルの再生中であれば、表示制御装置１３に、表示装置１４に表示する画像フレームを、現時点で合成制御部１２６から入力している再生画像の画像フレームに更新させる（ステップ２０４）。そして、ステップ２０６からの処理に進む。
【００２８】
一方、ビデオデコーダ１２３から入力する動画を構成する画像フレームの画像が全面が一色で塗りつぶされた画像であれば（ステップ２２６）、所定のタイムアウト時間（たとえば２秒）のタイムアウト時間を持つ第２タイマを設定し（ステップ２２８）、第１タイマまたは第２タイマのタイムアウトが発生するのを待つ（ステップ２３０）。そして、第１タイマまたは第２タイマのタイムアウトが発生したならば、ステップ２０２に戻り、ビデオタイトル再生中であるかどうかを確認し、ビデオタイトルの再生中であれば、表示制御装置１３に、表示装置１４に表示する画像フレームを、現時点で合成制御部１２６から入力している再生画像の画像フレームに更新させる（ステップ２０４）。そして、ステップ２０６からの処理を行う。なお、第２タイマのタイムアウト発生で、表示装置１４の表示を更新するようにしたのは、当該タイムアウト時間経過後には、フェードインやフェードアウトやブラックアウトやホワイトアウトなどによる画面の塗りつぶし状態が解消されていると考えられるからである。
【００２９】
次に、ステップ２１４で字幕の切り替えが発生したと判定された場合と、ステップ２１６で無音区間後の有音区間が発生したと判定された場合と、ステップ２１８で大音量への急激な音量変化が発生したと判定された場合と、ステップ２２０で感情表現単語認識が発生したと判定された場合と、ステップ２２２で台詞発声が発生したと判定された場合と、ステップ２２４で第１タイマのタイムアウトが発生したと判定された場合には、いずれの場合も、そのまま、ステップ２０２に戻り、ビデオタイトル再生中であるかどうかを確認し、ビデオタイトルの再生中であれば、表示制御装置１３に、表示装置１４に表示する画像フレームを、現時点で合成制御部１２６から入力している再生画像の画像フレームに更新させる（ステップ２０４）。そして、ステップ２０６からの処理を行う。
【００３０】
ここで、ステップ２１４の、字幕の切り替えの発生の判定は、サブピクチャデコーダ１２４から、新たなサブピクチャ（静止画）をデコードした旨を通知された場合に字幕の切り替えが発生したと判定することにより行う。
また、ステップ２１６の無音区間後の有音区間の発生の判定は、たとえば、オーディオデコーダ１２２がデコードした音声のレベルが所定の無音判定レベルより小さい状態から、所定の有音判定レベル（但し、有音判定レベル＞無音判定レベル）より大きくなったときに、無音区間後の有音区間が発生したと判定したことにより行う。
【００３１】
また、ステップ２１８の、大音量への急激な音量変化の発生の判定は、所定の単位時間（たとえば、０.５秒）内に、オーディオデコーダ１２２がデコードした音声のレベルの、所定量以上の変化が発生した場合に、大音量への急激な音量変化が発生したと判定することにより行う。
【００３２】
また、ステップ２２０の感情表現単語認識の発生の判定は、次のように行う。すなわち、走行中表示制御部１７は、オーディオデコーダ１２２がデコードした音声の音声認識処理を音声認識辞書１８を用いて行う。そして、音声認識処理によって認識された単語が「いたい」、「こわい」などの感情を表現する単語であった場合に、感情表現単語認識が発生したと判定する。なお、ここでは、オーディオデコーダ１２２がデコードした音声が、笑い、悲鳴、泣声などに相当するものであるかどうかの認識も行い、笑い、悲鳴、泣声などに相当するものである場合にも、感情表現単語認識が発生したと判定するようにするのがよい。
【００３３】
そして、ステップ２２２の台詞発声の発生の判定は、オーディオデコーダ１２２がデコードした音声と、サブオーディオデコーダがデコードした音声の差分が所定レベル以上大きくなったときに、台詞発声が発生したと判定することにより行う。
ここで、前述したようにオーディオデコーダ１２２がデコードした音声はユーザが選択した言語による音声であり、サブオーディオデコーダがデコードした音声はユーザが選択した言語と異なる言語により音声あり、両音声は、台詞が発声されていない期間（ＢＧＭや効果音のみで音声が構成されている期間）は一致することが期待できる。したがって、このように、オーディオデコーダ１２２がデコードした音声と、サブオーディオデコーダがデコードした音声の差分が所定レベル以上大きい場合に、台詞発声が発生したと判定することができる。なお、この台詞発声が発生の判定においては、オーディオデコーダ１２２がデコードした音声と、サブオーディオデコーダがデコードした音声の差分が所定レベル以上大きい場合において、オーディオデコーダ１２２がデコードした音声と、サブオーディオデコーダがデコードした音声とのうちの原語の音声ストリームの音声の人声周波数帯の音量が増加した時点で、台詞発声が発生したと検出することにより、表示装置１４の表示の更新に用いる画図フレームを、動画における口の動き始めの画像の画像フレームに、より正確に一致させるようにしてもよい。
【００３４】
以上、走行中表示制御部１７が行う走行中表示制御処理について説明した。
なお、以上の走行中表示制御処理のステップ２０６で、所定時間経過するのを待つのは、当該所定時間よりも短い時間間隔で目まぐるしく表示装置１４の表示が更新されてしまうことを排除するためである。また、ステップ２２４によって第１タイマのタイムアウトで表示装置１４の表示を更新するようにしたのは、少なくとも当該タイムアウト時間間隔で、表示装置１４の表示が更新されるようにするためである。
【００３５】
以下、このような走行中表示制御処理によって制御される表示装置１４の表示例を模式的に示す。
いま、たとえば、走行中に、プレゼンテーションエンジン１２によって再生対象となったビデオタイトルの動画が図３ａに示すように画像フレームｆ１、ｆ２、...ｆ１２、...によって構成されているものとする。
この場合、図３ｂに示すように、まず、ビデオタイトルの動画の先頭の画像フレームが表示装置１４に表示され、その表示が以降維持される。次に、図３ａの画像フレームｆ４のタイミングで、爆発音を表す音声が発生すると、図３ｂに示すように、この画像フレームｆ４の画像の表示に表示装置１４の表示が更新され、その表示が以降維持される。
【００３６】
次に、図３ａの画像フレームｆ６からチャプタ２の再生が開始されると、画像フレームｆ８の画像が全面塗りつぶされた画像であるかどうかが判定され、全面塗りつぶされた画像でなければ、この画像フレームｆ６の画像の表示に表示装置１４の表示が更新され、その表示が以降維持されることになる。一方、図示するように画像フレームｆ６の画像が全面塗りつぶされた画像である場合には、図３ｂに示すように画像フレームｆ６から第２タイマのタイムアウト時間経過後の画像フレームｆ８の画像の表示に表示装置１４の表示が更新され、その表示が以降維持される。
【００３７】
そして、その後、図３ａに示すように画像フレームの画像に含まれる字幕がｆ９からｆ１０のように変化すると、図３ｂに示すように、字幕変化後の画像フレームｆ１０の画像の表示に表示装置１４の表示が更新され、その表示が以降維持される。そして、その後、図３ａの画像フレームｆ１１からｆ１２のように、画像フレームの画像の画調が変化すると、図３ｂに示すように、画調変化後の画像フレームｆ１２の画像の表示に表示装置１４の表示が更新され、その表示が以降維持されることになる。
【００３８】
なお、前述したように、この他、無音区間後の有音区間の発生や、感情表現単語認識の発生や、台詞発声の発生があった場合にも、表示装置１４の表示は、その時点の動画の画像フレームに更新されることになる。
以上、本発明の実施形態について説明した。
以上のように、本実施形態によれば、チャプタ切り替え、ビデオ画調変化、字幕切り替え、無音区間後の有音区間の発生、大音量への急激な音量変化、感情表現単語の音声認識、台詞発声などの、動画中の各シーンを代表する画像を表す画像フレームに伴って発生する蓋然性が大きいと考えられる状態が発生した時点の画像を表す画像フレームが、順次、動画中から抽出されて、静止画として表示装置１４に表示されることになる。したがって、本実施形態によれば、車両の走行中に、動画に含まれる各シーンを代表する内容を持つ画像を、順次、静止画として表示することができるようになる。
【００３９】
なお、本実施形態における走行中表示制御処理は、チャプタ切り替え、ビデオ画調変化、字幕切り替え、無音区間後の有音区間の発生、大音量への急激な音量変化、感情表現単語の音声認識、台詞発声の各状態に代えて、または、これら各状態と共に、これら各状態以外の、動画中の各シーンを代表する画像を表す画像フレームに伴って発生する蓋然性が大きいと考えられる任意の状態の発生を検出するようにし、当該状態を検出した場合にも、当該状態を検出した時点の画像を表す画像フレームを、静止画として表示装置１４に表示するようにしてもよい。
【００４０】
なお、以上では、DVDビデオ再生装置への適用を例にとり説明したが、本実施形態の自動車の走行中に、動画を構成する画像フレームを静止画表示する技術は、自動車に搭載される任意のビデオ再生装置や任意のＴＶ受信機などのビデオ表示装置に同様に適用可能である。
【図面の簡単な説明】
【００４１】
【図１】本発明の実施形態に係るDVDビデオ再生装置の構成を示すブロック図である。
【図２】本発明の実施形態に係るDVDビデオ再生装置が行う走行中表示制御処理を示すフローチャートである。
【図３】本発明の実施形態に係るDVDビデオ再生装置の表示例を示す図である。
【符号の説明】
【００４２】
１…DVD-Videoディスク、１０…DVDドライバ、１１…ナビゲーションマネージャ、１２…プレゼンテーションエンジン、１３…表示制御装置、１４…表示装置、１５…音声出力装置、１６…入力装置、１７…走行中表示制御部、１８…音声認識辞書、１９…走行有無検出センサ、１２１…デマルチプレクサ機能部、１２２…オーディオデコーダ、１２３…ビデオデコーダ、１２４…サブピクチャデコーダ、１２５…PCI-HLIデコーダ、１２６…合成制御部。
【図１】
2007096393.tif 000003
【図２】
2007096393.tif 000004
【図３】
2007096393.tif 000005